(57)【要約】【課題】  低ビットレートアプリケーション用にＡＴＭセルを生成する方法を提供すること。【解決手段】  複数の着信データユニットストリーム（ＳＴｉ）を複数の着信ショートパケットストリーム（ＳＴｉ’）へ変換するためのセグメント化およびパケット化のステップ(1)であって、データユニットのショートパケットへのパケット化の前に、長いデータユニットをセグメント化することを含むステップと、前記複数のＳＴｉ’をひとつの同じＡＴＭ接続にまとめるための単一の発信ショートパケットストリーム（ＳＴ）に多重化するためと種々のＳＴｉ’を前記ＳＴへスケジュールするための多重化およびスケジューリングのためのステップであって、種々のＳＴｉの長いデータユニットに対応するショートパケットを、前記ＳＴにインタリーブできるような形のステップとを含む方法。【選択図】図１
2011024269.tif 000002
【特許請求の範囲】
【請求項１】
低ビットレートアプリケーション用にＡＴＭセルを生成する方法であって、
複数の着信データユニットストリームを複数の着信ショートパケットストリームへ変換するためのセグメント化およびパケット化のステップであってデータユニットをショートパケットへパケット化する前に長いデータユニットをセグメント化することを含むステップと、
前記複数の着信ショートパケットストリームを、ひとつの同じＡＴＭ接続にまとめるための単一の発信ショートパケットストリームに多重化するため、および種々の着信ショートパケットストリームを前記単一の発信ショートパケットストリームへとスケジュールするための多重化およびスケジューリングのステップであって、種々の着信データユニットストリームの長いデータユニットに対応するショートパケットを前記単一の発信ショートパケットストリームにインタリーブできるような形のステップとを含む方法。
【請求項２】
多重化およびスケジューリングの前記ステップが、異なる長さおよび／またはレートをもつ長いデータユニットに対応する短いパケットを、それぞれの長さおよび／またはレートに応じて前記発信ショートパケットストリームに、インタリーブすることができるような形で更に実行される請求項１に記載の方法。
【請求項３】
所与の着信ショートパケットストリームのスケジューリングは、このストリームのショートパケットが、前記単一の発信ショートパケットストリームでＴｉの間隔を置くように決定され、ここでＴｉが、伝送時間間隔または対応する着信データユニットストリームのデータユニット繰り返し周期と、この着信データユニットストリームのデータユニットをセグメント化した後のショートパケットの数と、の比率である請求項１に記載の方法。
【請求項４】
多重化およびスケジューリングの前記ステップが、短いデータユニットに対応するショートパケットを、前記発信ショートパケットストリームに、データユニットのそれぞれの長さおよび／またはレートに応じて挿入することができるような形で更に実行される請求項１に記載の方法。
【請求項５】
ＡＴＭセルをできる限り一定の間隔に保つという形でＡＴＭセル伝送時点をスケジュールするステップと、前記単一の発信ショートパケットストリームを、このようにスケジュールされたＡＴＭセル伝送時点を有する同じＡＴＭ接続に詰め込むステップとをさらに含む請求項１から４のいずれか一項に記載の方法。
【請求項６】
前記ＡＴＭセルの間隔が、対応するＡＴＭ接続用に取り決められたセルレートにできる限り近くなるように保たれる請求項５に記載の方法。
【請求項７】
前記セルレートが、ＤＢＲすなわち決定性ビットレートまたはＣＢＲすなわち固定ビットレートのサービスカテゴリの場合、ピークセルレートＰＣＲである請求項６に記載の方法。
【請求項８】
前記セルレートが、ＡＢＴすなわちＡＴＭブロック転送型のサービスカテゴリの場合、ブロックセルレート、ＢＣＲである請求項６に記載の方法。
【請求項９】
前記セルレートが、ＡＢＲすなわち利用可能ビットレート型のサービスカテゴリの場合、許容セルレート、ＡＣＲである請求項６に記載の方法。
【請求項１０】
前記セルレートを再取り決めすることができる請求項６に記載の方法。
【請求項１１】
前記単一の発信ショートパケットストリームからの利用可能なデータがないときはＡＴＭセルが送られず、かつ前記単一の発信ショートパケットストリームからのデータの次の使用可能性を考慮して、前記スケジューリングのステップを参照する他のステップを含む請求項５に記載の方法。
【請求項１２】
低ビットレートのアプリケーションためにＡＴＭセルを生成するための装置であって、請求項１から１１のいずれか一項に記載の方法を実行するために、
複数の着信データユニットストリームを複数の着信ショートパケットストリームへ変換するためのセグメント化およびパケット化の手段であって、データユニットをショートパケットへとパケット化する前に、長いデータユニットをセグメント化する手段を含む手段と、
前記複数の着信ショートパケットストリームを、ひとつの同じＡＴＭ接続に詰め込むための単一の発信ショートパケットストリームに多重化するためと、種々の着信ショートパケットストリームを前記単一の発信ショートパケットストリームへスケジュールするための多重化およびスケジューリングの手段であって、種々の着信データユニットストリームの長いデータユニットに対応するショートパケットを、前記単一の発信ショートパケットストリームにインタリーブできるような形の手段と、を含む装置。
【請求項１３】
移動体無線通信ネットワーク用の基地局であって、基地局コントローラへの伝送のために、複数のソースからの低ビットレートトラフィックを同じＡＴＭ接続に多重化するための、請求項１２に記載の装置を含む基地局。
【請求項１４】
移動体無線通信ネットワーク用の基地局コントローラであって、基地局への伝送のために複数のソースからの低ビットレートトラフィックを同じＡＴＭ接続に多重化するための、請求項１２に記載の装置を含む基地局コントローラ。
【発明の詳細な説明】
【技術分野】
【０００１】
本発明は、広くは遠隔通信システムに関する。
【０００２】
本発明は、より詳細にはＡＴＭ（Ａｓｙｎｃｈｒｏｎｏｕｓ  Ｔｒａｎｓｆｅｒ  Ｍｏｄｅ：非同期転送モード）を使用した遠隔通信システムに関する。ＡＴＭは、遠隔通信システムおいて高速ビットレートデータの伝送ための標準として普通に使用されており、セルと呼ばれる固定長のパケット非同期時間多重化に基づいている。
【背景技術】
【０００３】
ＡＴＭを使用した遠隔通信システムは、ＡＴＭ層と、ＡＴＭ層とユーザとの間インターフェース層、あるいはＡＴＭアダプテイション層（ＡＡＬ）によりモデル化することができる。
【０００４】
特有のＡＴＭアダプテイション層が、特に移動体通信システムとりわけ第３世代の移動体通信システム（詳細には、ＵＭＴＳ：「ユニバーサル移動体遠隔通信システム」）など低ビットレートアプリケーション用に、提供されている。
【０００５】
そのような特定の層あるいはＡＡＬ２は、ＩＴＵ−Ｔ勧告１．３６３．２で定義されている。ＡＡＬ２は、サービス特定コンバージェンス副層（ＳＳＣＳ：Ｓｅｒｖｉｃｅ  Ｓｐｅｃｉｆｉｃ  Ｃｏｎｖｅｒｇｅｎｃｅ  Ｓｕｂｌａｙｅｒ）と、ＣＰＳパケットと呼ばれる複数ショートパケットを同じＡＴＭセルに多重化することにより複数の低ビットレート接続が同じＡＴＭ接続を共用できるようにする共通部分副層（ＣＰＳ：Ｃｏｍｍｏｎ  Ｐａｒｔ  Ｓｕｂｌａｙｅｒ）とに、さらに分割される。
【０００６】
したがって、ＡＡＬ２層は、低ビットレートデータユニットの、種々の着信ストリームを受信することになるが、そのデータユニットは、その上、特に関連するトラフィックタイプ（音声、データ、イメージ、信号など）に依存して、異なるレートおよび／または長さを有する可能性がある。各着信データユニットストリームは、データユニットをショートパケット（またはＣＰＳパケット）にパケット化することにより、着信ショートパケットストリームに変換される。これらの種々の着信ショートパケットストリームは、同じＡＴＭ接続にまとめられるため、単一の発信ショートパケットストリームに多重化される。
【０００７】
効率的であるために、ＣＰＳレベルで実行されるプロセスは、同時にいくつかの目的を達成するべきである。詳細には以下のとおりである。
【０００８】
このプロセスは帯域幅に関して効率的であるべきである。すなわちＡＴＭセルはできる限り最少のパディングで送られるべきである。
【０００９】
このプロセスはサービス要件の品質を満たすべきであり、特に導入する遅延変動をなるべく最少にするべきである。
【００１０】
このプロセスは、多重化される異なるタイプのトラフィック用の質の異なるサービス要件を満たすべきである。特に、ボイストラフィックは時間に敏感であり、遅延変動にたいするきびしい目標を要求するのに対し、データおよび信号トラフィックは、通常は、転送遅延変動に対して耐性がある。
【発明の概要】
【発明が解決しようとする課題】
【００１１】
遅延変動の１つの特別な原因は、長いデータユニットの処理である（すなわち、４５オクテットより長いデータユニットの実行において）。
【００１２】
長いデータユニットは、現在、パケット化の前に短いパケットに分割されている。このようなわけで、ＷＯ９７／４８２５１は、異なる優先順位をもつ２つのタイプトラフィック（すなわち、ボイスおよびデータトラフィック）の場合を考え、短くかつより優先順位の高いユーザデータユニット（すなわち、ボイストラフィック）の着信の際に、長いデータユニット（すなわちデータトラフィック）のセグメント化およびパケット化を中断することを教示しているが、それはそのような高い優先順位のトラフィック上でのそのような長いデータユニットの処理の結果から、生じる可能性のあるセル遅延変動を減少させるためである。
【００１３】
しかし、この参照文献には、着信ストリームの何れかの数および種々の着信ストリームにより搬送されるトラフィックの何れかの型という一般的な場合においての、いかなる解決策も提供されておらず、特に、長いデータユニットを搬送する複数の着信ストリームの場合、他の着信ストリームのおのおのにおける、所与のストリームの長いデータユニットの処理の結果から生じる可能性のある、遅延変動の問題に対していかなる解決策も提供されていない。
【００１４】
本発明は特にそのような欠点の回避を可能にする。
【課題を解決するための手段】
【００１５】
したがって、本発明の目的は、低ビットレートアプリケーション用にＡＴＭセルを生成する方法であって、
複数の着信データユニットストリームを複数の短い着信パケットストリームへ変換するためのセグメント化およびパケット化のステップであって、データユニットのショートパケットへのパケット化の前に、長いデータユニットをセグメント化することを含むステップと、
複数の着信ショートパケットストリームをひとつの同じＡＴＭ接続にまとめるための単一の発信ショートパケットストリームに多重化するためと、種々の着信ショートパケットストリームを前記単一の発信ショートパケットストリームへスケジュールするための多重化およびスケジューリングのステップであって、種々の着信データユニットストリームの長いデータユニットに対応するショートパケットを、前記単一の発信ショートパケットストリームにインタリーブできるような形のステップとを含むものである。
【００１６】
本発明の他の目的によれば、多重化およびスケジューリングの前記ステップは、異なる長さおよび／またはレートの長いデータユニットに対応するショートパケットを、前記発信ショートパケットストリームに、それぞれの長さおよび／またはレートに応じてインタリーブすることができるような形でさらに実行される。
【００１７】
本発明の他の目的によれば、所与の着信ショートパケットストリームのスケジューリングが、このストリームのショートパケットが、前記単一の発信ショートパケットストリームでＴｉの間隔を置くように決定され、ここでＴｉは、伝送時間間隔または対応する着信データユニットストリームのデータユニット繰り返し周期と、この着信データユニットストリームのデータユニットのセグメント化の後のショートパケットの数との比率である。
【００１８】
本発明の他の目的によれば、多重化およびスケジューリングの前記ステップは、ショートデータユニットに対応するショートパケットを、前記発信ショートパケットストリームに、それぞれの長さおよび／またはレートに応じて挿入することができるような形でさらに実行される。
【００１９】
本発明の他の目的によれば、前記方法は、ＡＴＭセルをできる限り一定の間隔に保つという形でＡＴＭセル伝送時点をスケジュールするステップと、前記単一の発信ショートパケットストリームを、このようにスケジュールされたＡＴＭセル伝送時点を有する同じＡＴＭ接続にまとめるステップとをさらに含む。
【００２０】
本発明の他の目的によれば、前記ＡＴＭセルの間隔配置が、対応するＡＴＭ接続用に取り決められたセルレートにできる限り近くに保たれる。
【００２１】
ＡＴＭ接続のトラフィック合意のタイプに応じ、そして多様な実施形態により、前記セルレートを、
ＤＢＲ（Ｄｅｔｅｒｍｉｎｉｓｔｉｃ  Ｂｉｔ  Ｒａｔｅ：決定性セルレート）またはＣＢＲ（Ｃｏｎｓｔａｎｔ  Ｂｉｔ  Ｒａｔｅ：固定ビットレート）型のサービスカテゴリの場合のＰＣＲ（Ｐｅａｋ  Ｃｅｌｌ  Ｒａｔｅ：ピークセル転送レート）、
ＡＢＴ（ＡＴＭ  Ｂｌｏｃｋ  Ｔｒａｎｓｆｅｒ：ＡＴＭブロック転送）型のサービスカテゴリの場合のＢＣＲ（Ｂｌｏｃｋ  Ｃｅｌｌ  Ｒａｔｅ：ブロックセルレート）、
ＡＢＲ（Ａｖａｉｌａｂｌｅ  Ｂｉｔ  Ｒａｔｅ：利用可能ビットレート）のサービスカテゴリの場合のＡＣＲ（Ａｌｌｏｗｅｄ  Ｃｅｌｌ  Ｒａｔｅ：許容セルレート）とすることができる。
【００２２】
他の実施形態によれば、前記セルレートを再取り決めすることによって、ネットワークリソースの利用を最適化することができる。
【００２３】
他の実施形態によれば、前記単一の発信ショートパケットストリームから利用可能なデータがない場合、ＡＴＭセルは送られず、前記方法は、前記単一の発信ショートパケットストリームからのデータの使用可能性を考慮して前記スケジューリングのステップを参照するさらなるステップを含む。
【００２４】
本発明の他の目的は、低ビットレートのアプリケーションためにＡＴＭセルを生成するための装置であって、前記装置には、
複数の着信データユニットストリームを複数の着信ショートパケットストリームへ変換するためのセグメント化およびパケット化の手段であって、データユニットをショートパケットにパケット化する前に、長いデータユニットをセグメント化する手段を含む手段と、
前記複数の着信ショートパケットストリームを同じＡＴＭ接続にまとめるための単一の発信ショートパケットストリームに多重化するためと、種々の着信ショートパケットストリームを前記単一の発信ショートパケットストリームへスケジュールするための多重化およびスケジューリングの手段であって、種々の着信データユニットストリームの長いデータユニットに対応するショートパケットを、前記単一の発信ショートパケットストリームにおいてインタリーブできるような形の手段とを含む。
【００２５】
本発明は、そのような装置を備える移動体無線通信ネットワーク用の基地局（またはＵＭＴＳのノードＢ）などの構成要素も、本発明の目的のために有する。
【００２６】
本発明は、そのような装置を備える移動体無線通信ネットワーク用のコントローラ（またはＵＭＴＳのＲＮＣすなわちＲａｄｉｏ  Ｎｅｔｗｏｒｋ  Ｃｏｎｔｒｏｌｌｅｒ：無線ネットワークコントローラ）などの構成要素も本発明の目的のために有する。
【００２７】
本発明のこれらおよび他の目的は、添付図面と結びつけて記述されている以下の記載からより明らかになるであろう。
【図面の簡単な説明】
【００２８】
【図１】本発明による方法の一例を例示しようとする図である。
【図２】本発明による方法のアプリケーションの一例を例示しようとする図である。
【発明を実施するための形態】
【００２９】
本明細書では、以下の表記を使うことになる。
【００３０】
スケジューラ（Ｓｃｈｅｄｕｌｅｒ）：各着信ショートパケットストリームをスケジュールする時点をもつ
ＧＬＬ：グローバルリンクリスト（Ｇｌｏｂａｌ  Ｌｉｎｋｅｄ  Ｌｉｓｔ）、ＡＴＭセルにまとめるために競合するＣＰＳパケットのすべてのアドレスをもっている
ｔ：現在の時点
Ｔｉ：前記発信ストリームにおける、所与の着信ストリームｎ°ｉのショートパケット間の、間隔期間
ＬＶＳＴｉ：着信ショートパケットストリームｎ°ｉの現スケジュール時点
例として、図１では、複数の着信データユニットストリームの１つをＳＴｉと示し、この着信データユニットストリームのデータユニットをＡＡＬＳＤＵと示している。
【００３１】
ＳＴｉなどの各データユニットストリームの、ＳＴｉ’などのショートパケットストリームへの変換は、セグメント化およびパケット化手段１と示されたもので実行される。そのような変換には、ＡＡＬＳＤＵなどのデータユニットの、いくつかのショートパケットまたはＣＰＳ１およびＣＰＳ２などと示されたＣＰＳパケットへの、セグメント化およびパケット化が含まれている。
【００３２】
こうして得られたＣＰＳパケットの待ち行列作成が、共通のバッファメモリＣＢを使用して実行され、そこでＳＴｉ’などの異なるストリームのＣＰＳパケットが、ストリームＳＴｉ’のために２で示しているように、格納される。
【００３３】
ＳＴｉのような複数の着信ショートパケットストリームを多重化することで得られる単一の発信ショートパケットストリームにむけて、こうして待ち行列化されたＣＰＳパケットのＬＶＳＴと示されたスケジュール時点の決定は、図１で３と示された計算手段で実行される。
【００３４】
こうして決定されたスケジュール時点を有するＣＰＳパケットの共通バッファＣＢ内のアドレス＠が、パケットＣＰＳ１に対しては４またはパケットＣＰＳ２に対しては５で例として示しているように、ＳＣＨと示されたスケジューラのこの時点に対応するその行に記される。
【００３５】
本発明によれば、種々の着信ショートパケットストリームを前記単一の発信ショートパケットストリームへスケジュールすることは、種々の着信データユニットストリームの長いデータユニットに対応するショートパケットを前記単一の発信ショートパケットストリームに、インタリーブすることができるような形で実行される。
【００３６】
このようにして、長いデータユニットを搬送する複数の着信ストリームの場合、他の着信ストリームのおのおので所与のストリームの長いデータユニットの処理の結果から生じる可能性のある遅延変動を減少させることができ、したがって処理効率も改善することができる。
【００３７】
さらに、そのようなスケジューリングは、異なる長さおよび／またはレートの長いデータユニットに対応するショートパケットを、前記発信ショートパケットストリームに、それぞれの長さおよび／またはレートに応じてインタリーブすることができるような形で実行することができる。
【００３８】
さらに、そのようなスケジューリングは、短いデータユニットに対応するショートパケットを、前記発信ショートパケットストリームに、それぞれの長さおよび／またはレートに応じて挿入することができるような形で実行することができる。
【００３９】
ＬＶＳＴｉを着信ストリームＳＴｉの現在のＣＰＳパケットのスケジュールされた時点とする。
【００４０】
ＬＶＳＴｉは以下の関係により決定することができる。
【００４１】
ＬＶＳＴｉ＝ＬＶＳＴｉ＋Ｔｉ
言い換えると、ＬＶＳＴｉは、着信するストリームＳＴｉのショートパケットが前記の発信ショートパケットストリームでＴｉの間隔を置くように決定することができ、Ｔｉは、例えばストリームＳＴｉ用の伝送時間間隔（またはデータユニットの繰り返し周期）と、ストリームＳＴｉのデータユニットのセグメント化の後のＣＰＳパケットの数Ｎとの比率である。Ｔｉは時間により変化する可能性があり、言い換えれば、ＣＰＳの間隔配置比率をいつでも必要な時に新しい比率に調整できるようにするために、間隔配置は動的に決定することができる。所与のＡＡＬ２接続のために間隔配置の変更が起きるとき、このＡＡＬ２接続のすでに格納されているパケットには効果がないが、新しく着信したＣＰＳパケットには効果がある。
【００４２】
さらに、各データユニットストリームＳＴｉの着信時点「ｔ」を考慮にいれるためには、以下のアルゴリズムを代わりに使用してスケジュールされた時点ＬＶＳＴｉを決定することができる。
【００４３】
ＬＶＳＴｉ＋Ｔｉ≦ｔの場合、ＬＶＳＴｉ＝ｔ
ＬＶＳＴｉ＋Ｔｉ＞ｔの場合、ＬＶＳＴｉ＝ＬＶＳＴｉ＋Ｔｉ
言い換えれば、もし必要ならＬＶＳＴｉ＝ｔは、他の場合に用いられるＬＶＳＴｉ＝ＬＶＳＴｉ＋Ｔｉという関係による新しいＬＶＳＴｉの計算のための新しい参照と同様な役割を果たすと見なすことができる。
【００４４】
こうして決定されたスケジュール時点により着信ショートパケットストリームのスケジューリングは、スケジューラＳＣＨの異なる行を一つ一つ読み取り、各行に対してアドレスがこの行に格納されているショートパケットを選択することにより、実行される。複数のショートパケットがスケジューラの同じ行に対応する所与の時点でスケジュールされる必要がある場合、そのアドレスは、その時点をスケジュールされた時点として有するＣＰＳパケットのアドレスのリンクされたリストを形成する。ＡＴＭセルにまとめるために競合するＣＰＳパケットのアドレスの並びが結果として、ＧＬＬと示された、グローバルリンクリストを形成する。
【００４５】
６で例示しているように、いずれのパッキングプロセスでも、ＳＴと示された前記単一の発信ショートパケットストリームを同じＡＴＭ接続にまとめるために使用することができる。例えば、現在のパッキングプロセスによれば、ＡＴＭセルは、「即座」の伝送のために満載であるとき、またはタイマが時間切れ（タイマはＡＴＭセルの各発信の時にリセットされる）のときに、送ることができる。しかし、そのような現在の方法には、その度ごとにに遅延変動を持ち込むという欠点がある。
【００４６】
特にそのような遅延変動を避けることができる、新しいパッキングプロセスをつぎに開示する。
【００４７】
以下の表記が、この新しいパッキングプロセスの記載のために使用することになる。
【００４８】
Ｔ：ＡＴＭ放出間隔（またはＡＴＭセルレート）
ＡＳＴ：ＡＴＭスケジュール時点（またはＡＴＭセルのスケジュールされた伝送時点）
ＳＬＩ：長さインディケータの合計（またはグローバルリンクリストＧＬＬのすべてのＣＰＳパケットの長さの合計）
ＡＳＴを現在のＡＴＭセルのスケジュールされた伝送時点とする。
【００４９】
各スケジュールされたセル伝送時点ＡＳＴで、
ＳＬＩ≧４７オクテット（すなわち、ＳＬＩ≧ＡＴＭセルペイロードのオクテットの数）の場合、最初に受信した４７オクテットの共通バッファ内のアドレスが、グローバルリンクリストＧＬＬに読み込まれ、共通バッファＣＢではこれらの最初の４７オクテットから「空にされ」なり、ＳＬＩはＳＬＩ−４７に設定され、これらのオクテットはＡＴＭセル（この場合、パディングはない）へマップされる。
【００５０】
ＳＬＩ＜４７オクテットの場合（ＳＬＩ＝ｘとおく）、高い優先順位の「ｘ」個の最初に受領したオクテットの共通バッファ内でのアドレスが、グローバルリンクリストＧＬＬに読み込まれ、共通バッファＣＢにはこれらの「ｘ」オクテットから「空にされ」、ＳＬＩはＳＬＩ＝０に設定される。ついで、これらの「ｘ」オクテットはＡＴＭセルへマップされ、この場合、パディングがセルを満たすために使用される。
【００５１】
例としてその１つをＡＴＭｎとして示されたＡＴＭセルは、現在は、いわゆるＳＴＦフィールドであるＨと示されたヘッダフィールドと、この例ではＣＰＳ１、ＣＰＳ２などのＣＰＳパケットと、から構成される。
【００５２】
さらに、各スケジュールされたＡＴＭセル伝送時点ＡＳＴについては、このプロセスの後にグローバルリンクリストＧＬＬに何もない場合、すなわちＣＰＳパケットがＡＴＭセルでの伝送用に利用ができていない場合には、新しいＡＳＴはスケジュールされず、すなわち新しいＡＴＭセルは送られない。あるいは、グローバルリストが空ではない場合、新しいＡＳＴがスケジュールされる。この新しいパッキングプロセスによれば、この新しいＡＳＴはＡＴＭセルをできる限り一定の間隔に保つという形で決定される。ＡＳＴを以下の関係で計算することができるなら、それは利点となる。
【００５３】
ＡＳＴ＝ＡＳＴ＋Ｔ
ここでＴは、対応するＡＴＭ接続用に取り決められたセルレートである。
【００５４】
取り決められたセルレートの遵守を確実にすることは遅延変動を防ぐ簡単で効果的なやり方であり、一方同時にネットワークでのトラフィック管理を簡単にする。
【００５５】
ＡＴＭ接続のトラフィック合意のタイプに応じ、そして多様な実施形態により、セルレートを、
ＤＢＲ（Ｄｅｔｅｒｍｉｎｉｓｔｉｃ  Ｃｅｌｌ  Ｒａｔｅ：決定性セルレート）またはＣＢＲ（Ｃｏｎｓｔａｎｔ  Ｂｉｔ  Ｒａｔｅ：固定ビットレート）のサービスカテゴリの場合のＰＣＲ（Ｐｅａｋ  Ｃｅｌｌ  Ｒａｔｅ：ピークセル転送レート）型、
ＡＢＴ（ＡＴＭ  Ｂｌｏｃｋ  Ｔｒａｎｓｆｅｒ：ＡＴＭブロック転送）のサービスカテゴリの場合のＢＣＲ（Ｂｌｏｃｋ  Ｃｅｌｌ  Ｒａｔｅ：ブロックセルレート）型、
ＡＢＲ（ａｖａｉｌａｂｌｅ  Ｂｉｔ  Ｒａｔｅ：使用可能ビットレート）サービスカテゴリの場合のＡＣＲ（Ａｌｌｏｗｅｄ  Ｃｅｌｌ  Ｒａｔｅ：許容セルレート）型とすることができる。
【００５６】
さらに、新しいＡＳＴの以下の計算は、新しいＣＰＳパケットが時点「ｔ」で着信しグローバルリンクリストＧＬＬに何も無い場合、すなわちＡＴＭセルで伝送するためのＣＰＳパケットの次の使用可能性がある場合、さらには使用可能性のない期間についても、実行することができる。
【００５７】
ＡＳＴ＋Ｔ≦ｔの場合、ＡＳＴ＝ｔ
ＡＳＴ＋Ｔ＞ｔの場合、ＡＳＴ＝ＡＳＴ＋Ｔ
言い換えれば、ＡＳＴ＝ｔは、他で使用されたＡＳＴ＝ＡＳＴ＋Ｔという関係による新しいＡＳＴの計算にとっての新しい参照の役割を果たすと見なすことができる。
【００５８】
計算手段（図示せず）は、そのような方法によりＡＳＴ時点のスケジューリングのために使用することができる。
【００５９】
図２は、着信データストリームの所与の例の対応する、本発明のアプリケーションを例示しようとする図である。
【００６０】
図２では、３つの着信データユニットストリームを考え、３つのデータユニット「ａ」、「ｂ」、「ｃ」はそれぞれこれらの異なる着信データユニットストリームを受信する。さらに、この例では、データユニット「ａ」および「ｃ」は長いデータユニット（特にデータトラフィックに対応）、そしてデータユニット「ｂ」は短いデータユニット（特に音声トラフィックに対応）とする。したがって、データユニット「ａ」および「ｃ」複数のショートパケットに変換される。この例では３つのショートパケット、それぞれａ１、ａ２、ａ３、およびｃ１、ｃ２、ｃ３。伝送時間間隔（またはデータユニット繰り返し周期）は、「ａ」などのデータユニット用にはＴａ、そして「ｃ」などのデータユニット用にはＴｃと示されている。さらにこの例では、Ｔａ＝Ｔｃ＝２ｔｃである。
【００６１】
この例では、
データユニット「ａ」の受信時点ｔにおいて、ショートパケットａ１、ａ２、ａ３のアドレス＠ａ１、＠ａ２、＠ａ３が、それぞれｔ＋２ｔｃ、ｔ＋４ｔｃ、ｔ＋６ｔｃに対応するスケジューラのその列に格納され、
データユニット「ｂ」の受領時点ｔ＋ｔｃにおいて、ショートパケット「ｂ」のアドレス＠ｂが、ｔ＋２ｔｃに対応するスケジューラＳＣＨのその列に格納され、
データユニット「ｃ」の受領時点ｔ＋２ｔｃにおいて、ショートパケットｃ１、ｃ２、ｃ３のアドレス＠ｃ１、＠ｃ２、＠ｃ３が、それぞれｔ＋２ｔｃ、ｔ＋４ｔｃ、ｔ＋６ｔｃに対応するスケジューラのその列に格納される。
【００６２】
したがって、この例では、
ショートパケットａ１、ｂ、ｃ１のアドレスが、時点ｔ＋２ｔｃでグローバルリンクリストに加えられ、
ショートパケットａ２、ｃ２のアドレスは、時点ｔ＋４ｔｃでグローバルリンクリストに加えられ、
ショートパケットａ３、ｃ３のアドレスは、時点ｔ＋６ｔｃでグローバルリンクリストに加えられる。
【００６３】
したがって、この例では、
ショートパケットａ１、ｂ、ｃ１は、時点ｔ＋２ｔｃで発信ショートパケットストリームへとスケジュールされ、
ショートパケットａ２、ｃ２は、時点ｔ＋４ｔｃで発信ショートパケットストリームへとスケジュールされ、
ショートパケットａ３、ｃ３は、時点ｔ＋６ｔｃで発信ショートパケットストリームへとスケジュールされる。
【００６４】
本発明による低ビットレートのアプリケーションためにＡＴＭセルを生成するための方法または装置は、特に移動体通信システムで使用することができるものであって、詳細には、
基地局コントローラへの伝送のために複数のソースからの低ビットレートトラフィックを同じＡＴＭ接続に多重化するために、基地局またはＵＭＴＳのノードＢで、
基地局への伝送のために複数のソースからの低ビットレートトラフィックを同じＡＴＭ接続に多重化するための、基地局コントローラまたはＵＭＴＳの無線ネットワークコントローラすなわちＲＮＣで、使用することができる。
【符号の説明】
【００６５】
１  セグメント化およびパケット化手段
２  ストリームＳＴｉの格納ルート
３  計算手段
４  ＣＰＳ１のアドレス
５  ＣＰＳ２のアドレス
６  パッキングプロセス
ＳＴ、ＳＴｉ、ＳＴｉ’  ストリーム
ＡＡＬＳＤＵ  データユニット
ＣＰＳ１、ＣＰＳ２  ＣＰＳパケット
ＳＣＨ  スケジューラ
ＧＬＬ  グローバルリンクリスト
ＣＢ  共通バッファ
Ｔｉ、Ｔａ、Ｔｃ  伝送時間間隔またはデータユニット繰り返し周期
Ｈ  ヘッダフィールド
ＡＴＭｎ  ＡＴＭセル
ａ、ｃ  長いデータユニット
【図１】
2011024269.tif 000003
【図２】
2011024269.tif 000004
【外国語明細書】
2011024269000001.pdf